(57)【要約】【課題】  自動販売機における商品収納装置の静音化を効果的に達成する。【解決手段】  複数の商品３を下方に払い出し可能な状態で積み重ね収納する商品収納通路Ｓの下端部に、最下端から二番目に位置する商品３を受止めながら最下端に位置する商品３を一つずつ払い出す商品払出機構Ｂを設け、この商品払出機構Ｂとそれに対向させた案内壁部材６０とにより商品収納通路Ｓの下端部を形成する構成において、案内壁部材６０を、商品収納通路Ｓの側のガイド面９０Ａを形成する前壁部９０と、その前壁部９０から商品収納通路Ｓとは反対側に延出させた壁面視格子状配置の複数のリブ９２ａ〜９２ｃとを備える成形品にする。また望ましくは、その案内壁部材６０を合成樹脂の成形品にする。【選択図】        図２０
2005284365.tif 000002
【特許請求の範囲】
【請求項１】
複数の商品を下方に払い出し可能な状態で積み重ね収納する商品収納通路の下端部に、最下端から二番目に位置する商品を受止めながら最下端に位置する商品を一つずつ払い出す商品払出機構を設け、
この商品払出機構とそれに対向させた案内壁部材とにより商品収納通路の下端部を形成してある自動販売機の商品収納装置であって、
前記案内壁部材を、商品収納通路の側のガイド面を形成する前壁部と、その前壁部から商品収納通路とは反対側に延出させた壁面視格子状配置の複数のリブとを備える成形品にしてある自動販売機の商品収納装置。
【請求項２】
前記案内壁部材を合成樹脂製の成形品にしてある請求項１記載の自動販売機の商品収納装置。
【請求項３】
複数の商品を下方に払い出し可能な状態で積み重ね収納する商品収納通路の下端部に、最下端から二番目に位置する商品を受止めながら最下端に位置する商品を一つずつ払い出す商品払出機構を設け、
この商品払出機構とそれに対向させた案内壁部材とにより商品収納通路の下端部を形成してある自動販売機の商品収納装置であって、
前記案内壁部材を合成樹脂製にするとともに、複数の貫通孔を壁面視で分散させて前記案内壁部材に形成してある自動販売機の商品収納装置。
【請求項４】
前記案内壁部材を、商品収納通路の側のガイド面を形成する前壁部と、その前壁部から商品収納通路とは反対側に延出させた壁面視格子状配置の複数のリブとを備える成形品にし、前記貫通孔を前記前壁部に形成してある請求項３記載の自動販売機の商品収納装置。
【請求項５】
側面視で前記商品払出機構の側に膨出して商品を前記商品払出機構の側へ寄せ案内するガイド突起を前記案内壁部材に形成し、
前記案内壁部材のうち前記ガイド突起の上方近傍部分又は下方近傍部分に形成する前記貫通孔を他部に形成する前記貫通孔よりも開口面積の大きな孔にしてある請求項３又は４記載の自動販売機の商品収納装置。
【発明の詳細な説明】
【技術分野】
【０００１】
本発明は、複数の商品を下方に払い出し可能な状態で積み重ね収納する商品収納通路の下端部に、最下端から二番目に位置する商品を受止めながら最下端に位置する商品を一つずつ払い出す商品払出機構を設け、この商品払出機構とそれに対向させた案内壁部材とにより商品収納通路の下端部を形成してある自動販売機の商品収納装置に関する。
【背景技術】
【０００２】
従来、自動販売機の商品収納装置では、上記案内壁部材６０′を商品収納通路Ｓの両側板にわたらせ状態でそれら側板に連結支持する図２８に示す如き単純な板状の板金製部材にしていた。なお、６０ａ′は商品３を商品払出機能Ｂの側へ寄せ案内するガイド突起である（特許文献１参照）。
【０００３】
また、複数の商品収納通路を形成するコラム本体を樹脂の一体成形品とする自動販売機の商品収納装置も提案されている（特許文献２参照）。
【特許文献１】特開２００３−３６４７１号公報
【特許文献２】特開平１０−２４７２７６号公報
【発明の開示】
【発明が解決しようとする課題】
【０００４】
しかし、案内壁部材６０′を単純な板状の板金製部材とする従来装置では、商品収納通路Ｓ内を落下する商品３が案内壁部材６０′に衝突したときの衝撃音が大きく、特に、耳障りな高周波音成分が多く発生する問題があった。
【０００５】
また、コラム本体を樹脂製にする従来装置では、樹脂素材が備える音吸収（減衰）性により上記衝撃音を緩和し得るとともに高周波音成分の発生も抑止し得るものの、それでも上記衝撃音が未だ大きい問題があった。
【０００６】
この実情に鑑み、本発明の主たる課題は、案内壁部材に対する合理的な改良により上記衝撃音を効果的に低減する点にある。
【課題を解決するための手段】
【０００７】
〔１〕本発明の第１特徴構成は、複数の商品を下方に払い出し可能な状態で積み重ね収納する商品収納通路の下端部に、最下端から二番目に位置する商品を受止めながら最下端に位置する商品を一つずつ払い出す商品払出機構を設け、
この商品払出機構とそれに対向させた案内壁部材とにより商品収納通路の下端部を形成する自動販売機の商品収納装置において、
前記案内壁部材を、商品収納通路の側のガイド面を形成する前壁部と、その前壁部から商品収納通路とは反対側に延出させた壁面視格子状配置の複数のリブとを備える成形品にしてあることにある。
【０００８】
つまり、この第１特徴構成によれば、前壁部から商品収納通路とは反対側に延出させた壁面視格子状配置の複数のリブにより、商品が案内壁部材の前壁部に衝突したときの前壁部の全体的な大きな振動を効果的に抑止することができる。
【０００９】
また、商品と案内壁部材との衝突時における衝撃力は、商品の重量（質量）及び案内壁部材の重量（質量）の各々が大きいほど大きくなるが、リブを設ける上記構成によれば、リブに代え案内壁部材を肉厚の板構造にすることで全体的な大きな振動を抑止するのに比べ、案内壁部材を軽量にして商品との衝突時における衝撃力そのものも小さくすることができ、これらことにより、商品と案内壁部材との衝突による衝撃音を効果的に低減するこができる。
【００１０】
〔２〕本発明の第２特徴構成は、前記案内壁部材を合成樹脂製の成形品にしてあることにある。
【００１１】
つまり、この第２特徴構成によれば、合成樹脂が備える音吸収（減衰）性と、前述のリブによる衝撃音低減効果とが相まって、商品と案内壁部材との衝突による衝撃音を一層効果的に低減することができる。また、案内壁部材を合成樹脂製とすることで、耳障りな高周波音成分の発生を効果的に抑止できて、聴感的に一層効果的な静音化が可能になる。
【００１２】
〔３〕本発明の第３特徴構成は、複数の商品を下方に払い出し可能な状態で積み重ね収納する商品収納通路の下端部に、最下端から二番目に位置する商品を受止めながら最下端に位置する商品を一つずつ払い出す商品払出機構を設け、
この商品払出機構とそれに対向させた案内壁部材とにより商品収納通路の下端部を形成する自動販売機の商品収納装置において、
前記案内壁部材を合成樹脂製にするとともに、複数の貫通孔を壁面視で分散させて前記案内壁部材に形成してあることにある。
【００１３】
つまり、この第３特徴構成によれば、合成樹脂が備える音吸収（減衰）性により衝撃音を低減し得ることに加え、複数の貫通孔により案内壁部材における音発生部分の面積を小さくして衝撃音の放射率を小さくし得るとともに、案内壁部材から貫通孔を通過せずに伝播する音と案内壁部材から貫通孔を通じて伝播する音との位相のズレによる消音効果を得ることができ、また、貫通孔の形成による軽量化で商品との衝突時における衝撃力そのものも小さくすることができ、これらのことが相まって商品と案内壁部材との衝突による衝撃音を効果的に低減することができる。
【００１４】
そしてまた、案内壁部材を合成樹脂製にすることで、耳障りな高周波音成分の発生を効果的に抑止できて、聴感的に一層効果的な静音化が可能になる。
【００１５】
〔４〕本発明の第４特徴構成は、前記案内壁部材を、商品収納通路の側のガイド面を形成する前壁部と、その前壁部から商品収納通路とは反対側に延出させた壁面視格子状配置の複数のリブとを備える成形品にし、前記貫通孔を前記前壁部に形成してあることにある。
つまり、この第４特徴構成によれば、前壁部から商品収納通路とは反対側に延出させた壁面視格子状配置の複数のリブにより、商品が案内壁部材の前壁部に衝突したときの前壁部の全体的な大きな振動を効果的に抑止することができ、また、リブに代え案内壁部材を肉厚の板構造にすることで全体的な大きな振動を抑止するのに比べ、案内壁部材を軽量にして商品との衝突時における衝撃力そのものも小さくすることができ、これらのことと前述の合成樹脂による衝撃音の低減効果及び貫通孔による衝撃音の低減効果とが相まって、商品と案内壁部材との衝突による衝撃音を効果的に低減するこができる。
【００１６】
〔５〕本発明の第５特徴構成は、側面視で前記商品払出機構の側に膨出して商品を前記商品払出機構の側へ寄せ案内するガイド突起を前記案内壁部材に形成し、
前記案内壁部材のうち前記ガイド突起の上方近傍部分又は下方近傍部分に形成する前記貫通孔を他部に形成する前記貫通孔よりも開口面積の大きな孔にしてあることにある。
【００１７】
つまり、上記ガイド突起は商品払出機構の側（すなわち、商品収納通路の内方側）に膨出することから案内壁部材における他部に比べ商品との衝突頻度が高くなり、また、衝突の際の衝撃力も他部に比べ集中するが、案内壁部材のうちガイド突起の上方近傍部分又は下方近傍部分に形成する前記貫通孔を他部に形成する貫通孔よりも開口面積の大きな孔にする上記第５特徴構成によれば、その大きな開口面積の貫通孔によりガイド突起の近傍における衝撃音放射率を効果的に小さくすることができて、商品とガイド突起との衝突による衝撃音を効果的に低減することができ、これにより、商品と案内壁部材との衝突による衝撃音を一層効果的に低減することができる。
【００１８】
また、壁面視で分散させて案内壁部材に形成する貫通孔を全て開口面積の大きな孔にするのでは、商品の引っ掛かりを招く虞もあるが、商品を商品払出機能の側へ寄せ案内するガイド突起の上方近傍部分又は下方近傍部分に形成する貫通孔を開口面積の大きな孔にして、他部に形成する貫通孔を開口面積の小さな孔にする上記構成であれば、商品の引っ掛かりなどの派生的な問題も回避することができる。
【発明を実施するための最良の形態】
【００１９】
図１に示す自動販売機の商品収納装置では、断熱壁１で囲繞されるキャビネットＡの商品収納庫２内に、飲料缶や飲料瓶、ペットボトル等の複数の商品３を下方に払い出し可能な状態でほぼ上下方向に沿って水平姿勢で積重ね収納するための商品収納通路Ｓを備えた商品収納コラムを前後方向で複数列形成してある商品収納コラムユニットＵの二つが、前後方向から吊下げ状態で脱着可能に組付けられ、各商品収納コラムの前面には、商品収納通路Ｓの上部に商品３を投入するための商品投入口４が形成され、各商品収納通路Ｓの下部には、商品払出指令信号（販売指令信号）に基づいて最下端から二番目に位置する商品３を受止めながら最下端に位置する商品３を一つずつ払い出す図２０に示す如き商品払出機構Ｂが設けられている。
【００２０】
また、各商品収納コラムの商品収納通路Ｓのうち、前から二列目以降に位置する商品収納通路Ｓの上部とそれに対応する商品投入口４との間には、それらを斜めに接続するための傾斜導入通路Ｓ１を形成する商品導入ガイド５が設けられ、各商品導入ガイド５は奥側ほど少し下方に位置する傾斜姿勢に形成され、商品投入口４から投入された商品３は、左右の側板６間に亘って架設される商品導入ガイド５の傾斜底板５Ａ上を滑降又は転動しながら商品収納通路Ｓの上部に移入し、商品収納通路Ｓ内を蛇行降下しながら商品払出機構Ｂの側へ搬送される。
【００２１】
各商品収納コラムの商品収納通路Ｓのうち、前から二列目以降に位置する各商品収納通路Ｓの入口部には、図２，図３に示すように、傾斜導入通路Ｓ１に沿って滑降供給される商品３と当接してそれの投入姿勢を矯正する側面視略「く」の字状の姿勢矯正板７が、商品３の通過移動に連れて横向き軸芯Ｘ１周りでシーソー揺動する状態に設けられ、各姿勢矯正板７は、板厚方向に貫通する多数の貫通孔７ｂを備えた合成樹脂製の多孔板から構成され、当該実施形態では、複数の縦桟７Ａと横桟７Ｂを組み合わせた格子形状に弾性を有する合成樹脂（ＰＯＭ）で一体形成されている。
【００２２】
そのため、傾斜導入通路Ｓ１に沿って滑降又は転動してきた商品３が姿勢矯正板７に当接したとき衝撃音は発生するが、姿勢矯正板７が弾性を有する合成樹脂で格子形状に成形されているため、板金製に比して音の吸収（減衰）効果が高く、しかも、弾性率が低く靭性が高いためにバネ効果を発揮し易い。また、この衝突によって生じた振動は複数の縦桟７Ａと複数の横桟７Ｂを伝わるが、共鳴振動を起こす平面部が少なく、衝突音の放射率が小さくなるため、衝撃音を効果的に低減することができる。
【００２３】
特に、従来の板金製の姿勢矯正板に比して人の聴感的に耳障りな高周波音成分が少なく、より耳に優しい比較的低い周波数帯域にその成分の主要部が集中するため、音圧測定値以上に人の聴感的な静けさを得ることができる。
【００２４】
商品収納通路Ｓとしては、図９，図１０に示すように、ペットボトルを収納可能な通路幅Ｗの広い商品収納通路Ｓと、図１１に示すように、缶専用の通路幅Ｗの狭い商品収納通路Ｓとの二種類が存在し、通路幅Ｗの広い商品収納通路Ｓには、これの通路幅Ｗを収納商品３（ペットボトル又は缶）の長さに応じて変更するべく、商品収納通路Ｓの上端近くから下端部にまで及ぶ長さを有する幅調整板（図示せず）が、通路幅方向に平行又は略平行姿勢のまま移動操作自在に配設されている。
【００２５】
商品収納通路Ｓを形成するガイド板は、図９〜図１１に示すように、通路幅Ｗの広い商品収納通路Ｓに対応した長尺の固定ガイド板８と、通路幅Ｗの狭い商品収納通路Ｓに対応した短尺の固定ガイド板９と、長尺固定ガイド板８の前面の右側又は左側に対して若しくは短尺固定ガイド板９の前面に対して選択的に装備可能な共通部品としての可動ガイド板１０とからなり、各ガイド板８，９，１０は、板厚方向に貫通する多数の貫通孔８ａ，９ａ，１０ａを備えた合成樹脂製の多孔板から構成され、当該実施形態では、複数の縦桟８Ａ，９Ａ，１０Ａと横桟８Ｂ，９Ｂ，１０Ｂを組み合わせた格子形状に弾性を有する合成樹脂（ＰＯＭ）で一体成形されている。
【００２６】
そのため、投入された商品３が商品収納通路Ｓを構成する固定ガイド板８，９及び可動ガイド板１０に衝突したとき、この衝突によって生じた振動は固定ガイド板８，９及び可動ガイド板１０を構成する複数の縦桟８Ａ，９Ａ，１０Ａと横桟８Ｂ，９Ｂ，１０Ｂに伝播されるため、衝突音の放射率が小さくなるとともに、共鳴振動を起こす平面部が少なくなり、しかも、弾性を有する合成樹脂で格子形状に一体成形されているため、音の吸収（減衰）効果が高く、弾性率が低く靭性が高いためにバネ効果を発揮し易くなり、従来の板金製に比して衝撃音又は打撃音を効果的に低減することができる。
【００２７】
更に、固定ガイド板８，９及び可動ガイド板１０を構成する横桟８Ｂ，９Ｂ，１０Ｂの本数が縦桟８Ａ，９Ａ，１０Ａの本数よりも少ないため、商品３との衝突や打撃等により発生した振動が横方向に伝播され難く、商品収納コラムを構成する板金製の両側板６全体が振動して音を発生することを効果的に抑制することができる。
【００２８】
長尺固定ガイド板８の上縁部には、図４，図９〜図１２に示すように、通路幅Ｗの広い商品収納通路Ｓを形成する左右の側板６間に架設される合成樹脂製の横架用取付け部８Ｃが一体形成され、同じく短尺固定ガイド板９の上縁部にも、通路幅Ｗの狭い商品収納通路Ｓを形成する左右の側板６間に架設される合成樹脂性の横架用取付け部９Ｃが一体形成され、これら横架用取付け部８Ｃ，９Ｃには、左右の側板６に設けられた取付け孔１１に対して差し込み自在で、かつ、所定の差込深さまで差し込まれたとき取付け孔１１（図１９参照）の周縁で側板６に係合して固定ガイド板８，９の左右方向への移動を阻止する差込み連結手段Ｃが設けられている。
【００２９】
そして、長尺固定ガイド板８、短尺固定ガイド板９、長尺固定ガイド板８の前面右側に可動ガイド板１０を揺動自在に装着してあるガイド板ユニット（図９参照）、長尺固定ガイド板８の前面左側に可動ガイド板１０を揺動自在に装着してあるガイド板ユニット（図１０参照）、短尺固定ガイド板９の前面に可動ガイド板１０を揺動自在に装着してあるガイド板ユニット（図１１参照）を製作し、その中から商品収納通路Ｓの形態に応じて選定された部品を、図４〜図８に示す如く、収納予定商品３の最大長さよりも若干大きな間隔で固定連結された左右の側板６間に亘って、前後方向に間隔をおいて対向する状態で、かつ、前後方向で対向するガイド板同士の高さを互いに半ピッチずつ位置齟齬する状態で架設することにより、各商品収納通路Ｓを蛇行状に形成して、その蛇行により商品補充時の落下衝撃を緩和するようにしてある。
【００３０】
また、各商品収納通路Ｓの下部側で、かつ、商品払出機構Ｂの上方近傍箇所には、商品収納通路Ｓ内の商品３の存否を検出するべく、幅調整板の通路幅変更操作領域外の商品収納通路部分内に弾性力で突出付勢された売切れ感知板（売切れフラッパー）１２がそれの上端側の横向き軸芯周りで揺動自在に設けられている。
【００３１】
上下方向に並設されて商品収納通路Ｓを形成する複数のガイド板８，９，１０のうち、商品投入口４に対面する状態で商品収納通路Ｓの最上部に位置するガイド板１０が、長尺固定ガイド板８又は短尺固定ガイド板９の上端部の横向き軸芯Ｘ２周りで揺動自在で、かつ、ネジリバネ１６により商品収納通路Ｓ内に突出付勢された可動ガイド板であるのに対し、姿勢矯正板７は、その下端部７ｄが商品収納通路Ｓ内に突出付勢されている可動ガイド板１０の上下中央部に当接するように配置され、また、板バネ１４により可動ガイド板１０との当接側に揺動付勢されている。
【００３２】
すなわち、図２，図３に示すように、傾斜導入通路Ｓ１に沿って滑降又は転動してきた商品３が姿勢矯正板７の下半側部分を押し込みながら商品収納通路Ｓに移入案内される際、姿勢矯正板７の下端部７ｄと当接している可動ガイド板１０もネジリバネ１６の突出付勢力に抗して引退揺動されるため、その引退揺動による回転減速作用により、商品３が姿勢矯正板７の下半側部分に衝突したときの衝撃力を効果的に減衰することができ、衝撃音の発生を抑制することができる。
【００３３】
商品収納通路Ｓを形成するガイド板８，９，１０及びそれらの取付け構造についてさらに説明すると、長尺固定ガイド板８は、図１２に示すように、１５本の縦桟８Ａと上下２本の横桟８Ｂとをもって格子形状に合成樹脂で一体成形され、各縦桟８Ａのうち、商品収納通路Ｓの側に臨む商品ガイド端面８ｂが側面視において略弓形状又は湾曲形状に形成され、背面側の端面８ｃが側面視において鉛直方向に沿った直線状又は略直線状に形成されている。
【００３４】
また、長尺固定ガイド板８の各縦桟８Ａのうち、左右両外側に位置する縦桟８Ａを除く他の各縦桟８Ａの背面で、下側の横桟８Ｂとの接合箇所に連続する上側部分には、側面視において三角形状に窪む切込み部８ｄが形成されており、そのため、長尺固定ガイド板８の左右中間に位置する各縦桟８Ａは夫々厚み方向に若干の弾性を有することになり、長尺固定ガイド板８に商品３が衝突したときの衝撃力を緩和して衝撃音の発生を抑制することができる。
【００３５】
図１２〜図１４に示すように、長尺固定ガイド板８における１５本の縦桟８Ａのうち、前面視で左側から２本目と５本目と７本目と９本目と１０本目と１２本目と１４本目の各縦桟８Ａの上部には、ガイド板背面側にも開口する状態で縦桟８Ａを左右方向に貫通する軸受け孔１７ａが形成され、また、各縦桟８Ａの上部におけるガイド板背面寄り部分どうしの間にわたる状態で上側の横桟８Ｂから下方へ延出させた面状部１７ｂのうち、軸受け孔１７ａを形成した縦桟８Ａに対して前面視で左側に位置する面状部１７ｂには、軸受け孔１７ａ側の先端部を前方へ突出させた平面視略「Ｌ」の字状の抜止め片１７ｃが設けられている。
【００３６】
そしてまた、面状部１７ｂのうち、前面視で左側から５本目と６本目の縦桟８Ａどうしの間の面状部１７ｂにはバネ設置用の窪み部１７ｄが設けられるとともに、５本目の縦桟８Ａとの隅部においてガイド板背面側へ貫通するバネ保持用の切欠き孔１７ｅが形成され、さらに、前面視で左側から２本目と３本目の縦桟８Ａどうしの間の面状部１７ｂ、７本目と８本目の縦桟８Ａどうしの間の面状部１７ｂ、８本目と９本目の縦桟８Ａどうしの間の面状部１７ｂ、並びに、１３本目と１４本目の縦桟８Ａどうしの間の面状部１７ｂには下方へ延出するストッパ片１７ｆが一体形成されている。
【００３７】
短尺固定ガイド板９は、図１２、図１５、図１６に示すように、１０本の縦桟９Ａと上下２本の横桟９Ｂとをもって格子形状に合成樹脂で一体成形され、各縦桟９Ａのうち、商品収納通路Ｓの側に臨む商品ガイド端面９ｂが側面視において略弓形状又は湾曲形状に形成され、背面側の端面９ｃが側面視において鉛直方向に沿った直線状又は略直線状に形成されている。
【００３８】
また、短尺固定ガイド板９の各縦桟９Ａのうち、左右両外側に位置する縦桟９Ａを除く他の各縦桟９Ａの背面で、下側の横桟９Ｂとの接合箇所に連続する上側部分には、側面視において三角形状に窪む切込み部９ｄが形成されており、そのため、短尺固定ガイド板９の左右中間に位置する各縦桟９Ａは夫々厚み方向に若干の弾性を有することになり、短尺固定ガイド板９に商品３が衝突したときの衝撃力を緩和して衝撃音の発生を抑制することができる。
【００３９】
長尺固定ガイド板８と同様、短尺固定ガイド板９における１０本の縦桟９Ａのうち、前面視で左側から２本目と５本目と７本目と９本目の各縦桟９Ａの上部には、ガイド板背面側にも開口する状態で縦桟９Ａを貫通する軸受け孔１７ａが形成され、また、各縦桟９Ａの上部におけるガイド板背面寄り部分どうしの間にわたる状態で上側の横桟９Ｂから下方へ延出させた面状部１７ｂのうち、軸受け孔１７ａを形成した縦桟９Ａに対して前面視で左側に位置する面状部１７ｂには、軸受け孔１７ａ側の先端部を前方へ突出させた平面視略「Ｌ」の字状の抜止め片１７ｃが設けられている。
【００４０】
そしてまた、面状部１７ｂのうち、前面視で左側から５本目と６本目の縦桟９Ａどうしの間の面状部１７ｂにはバネ設置用の窪み部１７ｄが設けられるとともに、５本目の縦桟９Ａとの隅部においてガイド板背面側へ貫通するバネ保持用の切欠き孔１７ｅが形成され、さらに、前面視で左側から２本目と３本目の縦桟９Ａどうしの間の面状部１７ｂ、及び、８本目と９本目の縦桟９Ａどうしの間の面状部１７ｂには下方へ延出するストッパ片１７ｆが一体形成されている。
【００４１】
可動ガイド板１０は、図１７に示すように、９本の縦桟１０Ａと上下２本の横桟１０Ｂとをもって格子形状に合成樹脂で一体成形され、各縦桟１０Ａの商品収納通路Ｓ側に臨む商品ガイド端面１０ｂ及び背面側の端面１０ｃが、側面視において略弓形状又は湾曲形状に形成されている。すなわち、可動ガイド板１０は、商品ガイド端面１０ｂ及び背面側端面１０ｃを共に略弓形状又は湾曲形状に形成して、上下方向全域での厚みが必要以上に厚くならない状態で略均等化することにより、揺動方向に若干の弾性を有することになり、揺動が止められたときに発生する衝撃振動を減衰することができる。
【００４２】
可動ガイド板１０における９本の縦桟１０Ａのうち、中央の縦桟１０Ａを除く各縦桟１０Ａには上側の横桟１０Ｂよりも上方に突出する上方突出部１０ｄが設けられ、そして、縦桟１０Ａのうち前面視で左側から１本目と４本目と６本目と８本目の縦桟１０Ａの上方突出部１０ｄには、前面視で右側へ突出する片持ち状の揺動軸部１７ｇが設けられ、中央の縦桟１０Ａと上側の横桟１０Ｂとの交差部には、ガイド板表面側が窪んだ状態でガイド板背面側へ突出する背面突出部１７ｈが形成されている。
【００４３】
つまり、長尺固定ガイド板８の前面右側に可動ガイド板１０を揺動自在に装着してあるガイド板ユニット（図９参照）を形成するには、長尺固定ガイド板８における前面視で右側４つの軸受け用孔１７ａに対し、可動ガイド板１０における４つの揺動軸部１７ｇを前面視で左側から嵌入するとともに、この嵌入の際、長尺固定ガイド板８における前面視で右側２つの抜止め片１７ｃを揺動軸部１７ｇとの当接によりガイド板背面側へ弾性逃げ変形させながら、それら揺動軸部１７ｇを軸受け用孔１７ａに嵌入することで、その嵌入後における２つの抜止め片１７ｃの弾性復帰により、それら抜止め片１７ｃの先端側における前方突出部をもって揺動軸部１７ｇを抜止めし、これにより、長尺固定ガイド板８の前面右側に対して可動ガイド板１０をその上端側の横向き軸芯Ｘ２（揺動軸部１７ｇの軸芯）周りで揺動自在に取付ける。
【００４４】
そして、上記嵌入による可動ガイド板１０の取付けにあたり、長尺固定ガイド板８における前面視右側のバネ設置用窪み部１７ｄにネジリバネ１６を設置して、そのネジリバネ１６におけるバネ線材の一端を近傍のバネ保持用切欠き孔１７ｅに挿通するとともに、バネ線材の他端を可動ガイド板１０における背面側突出部１７ｈに当接させ、その状態でネジリバネ１６を長尺固定ガイド板８と可動ガイド板１０との間に挟み込む状態にして、上記嵌入による可動ガイド板１０の取付けを行うことで、そのネジリバネ１６により長尺固定ガイド板８の前面右側に装備の揺動自在な可動ガイド板１０を前方側へ突出付勢する。
【００４５】
これと同様、長尺固定ガイド板８の前面左側に可動ガイド板１０を揺動自在に装着してあるガイド板ユニット（図１０参照）を形成するには、長尺固定ガイド板８における前面視で左側４つの軸受け孔１７ａに対し、可動ガイド板１０における４つの揺動軸部１７ｇを前面視で左側から嵌入するとともに、この嵌入の際、長尺固定ガイド板８における前面視で左側２つの抜止め片１７ｃを揺動軸部１７ｇとの当接によりガイド板背面側へ弾性逃げ変形させながら、それら揺動軸部１７ｇを軸受け孔１７ａに嵌入することで、その嵌入後における２つの抜止め片１７ｃの弾性復帰により、それら抜止め片１７ｃの先端側における前方突出部をもって揺動軸部１７ｇを抜止めし、これにより、長尺固定ガイド板８の前面左側に対して可動ガイド板１０をその上端側の横向き軸芯Ｘ２（揺動軸部１７ｇの軸芯）周りで揺動自在に取付ける。
【００４６】
そして、上記嵌入による可動ガイド板１０の取付けにあたり、長尺固定ガイド板８における前面視左側のバネ設置用窪み部１７ｄにネジリバネ１６を設置して、そのネジリバネ１６におけるバネ線材の一端を近傍のバネ保持用切欠き孔１７ｅに挿通するとともに、バネ線材の他端を可動ガイド板１０における背面側突出部１７ｈに当接させ、その状態でネジリバネ１６を長尺固定ガイド板８と可動ガイド板１０との間に挟み込む状態にして、上記嵌入による可動ガイド板１０の取付けを行うことで、そのネジリバネ１６により長尺固定ガイド板８の前面左側に装備の揺動自在な可動ガイド板１０を前方側へ突出付勢する。
【００４７】
また、短尺固定ガイド板９の前面に可動ガイド板１０を揺動自在に装着してあるガイドユニット（図１１参照）を形成するには、短尺固定ガイド板９における４つの全ての軸受け孔１７ａに対し、可動ガイド板１０における４つの揺動軸部１７ｇを前面視で左側から嵌入するとともに、この嵌入の際、短尺固定ガイド板９における２つの全ての抜止め片１７ｃを揺動軸部１７ｇとの当接によりガイド板背面側へ弾性逃げ変形させながら、それら揺動軸部１７ｇを軸受け孔１７ａに嵌入することで、その嵌入後における２つの抜止め片１７ｃの弾性復帰により、それら抜止め片１７ｃの先端側における前方突出部をもって揺動軸部１７ｇを抜止めし、これにより、短尺固定ガイド板９の前面に対して可動ガイド板１０をその上端側の横向き軸芯Ｘ２（揺動軸部１７ｇの軸芯）周りで揺動自在に取付ける。
【００４８】
そして、上記嵌入による可動ガイド板１０の取付けにあたり、短尺固定ガイド板９におけるバネ設置用窪み部１７ｄにネジリバネ１６を設置して、そのネジリバネ１６におけるバネ線材の一端を近傍のバネ保持用切欠き孔１７ｅに挿通するとともに、バネ線材の他端を可動ガイド板１０における背面側突出部１７ｈに当接させ、その状態でネジリバネ１６を短尺固定ガイド板９と可動ガイド板１０との間に挟み込む状態にして、上記嵌入による可動ガイド板１０の取付けを行うことで、そのネジリバネ１６により短尺固定ガイド板９の前面に装備の揺動自在な可動ガイド板１０を前方側へ突出付勢する。
【００４９】
可動ガイド板１０における縦桟１０Ａの左右並設ピッチｐ１と、長尺固定ガイド板８及び短尺固定ガイド板９における縦桟８Ａ，９Ａの左右並設ピッチｐ２は互いに等しく（ｐ１＝ｐ２）してあり、また、長尺固定ガイド板８及び短尺固定ガイド板９における縦桟８Ａ，９Ａの隣接間隔ｄ２（当該実施形態ではスリット状空隙８ａ，９ａの幅）は、可動ガイド板１０の縦桟１０Ａの横幅寸法ｗ１よりも若干大きく（ｄ２＞ｗ１）してあり、これにより、前述の各ガイド板ユニット（図９〜図１１参照）の何れにおいても、可動ガイド板１０の縦桟１０Ａの大部分が長尺固定ガイド板８又は短尺固定ガイド板９における縦桟８Ａ，９Ａどうしの間の空隙８ａ，９ａに対し揺動方向から入り込みことが許容され、そして、その入り込み移動に連れて、長尺固定ガイド板８の商品ガイド端面８ｂ及び短尺固定ガイド板９の商品ガイド端面９ｂの少なくとも一部（詳しくは、下半側部分）が可動ガイド板１０の商品ガイド端面１０ｂと面一になる商品受止め位置に臨むように構成されている。
【００５０】
すなわち、図４〜図８に示すように、商品収納通路Ｓ内を落下してくる商品３が可動ガイド板１０と衝突すると、可動ガイド板１０の縦桟１０Ａの下半側部分が、ネジリバネ１６の突出付勢力に抗して退避揺動しながら長尺固定ガイド板８又は短尺固定ガイド板９における縦桟８Ａ，９Ａどうしの間に揺動方向から入り込むことにより、落下商品３を減速すると同時に落下姿勢を設定収納姿勢（水平姿勢）に矯正することができ、しかも、この可動ガイド板１０の入り込み移動に連れて、長尺固定ガイド板８又は短尺固定ガイド板９の商品ガイド端面８ｂ，９ｂの下半側部分が、可動ガイド板１０の商品ガイド端面１０ｂと面一となる商品受止め位置に臨むことで、最終的には商品３を充分な縦方向曲げ強度を有する長尺固定ガイド板８又は短尺固定ガイド板９で受け止めることができる。
【００５１】
それ故に、図１に示すように、補充されて商品収納通路Ｓ内に積み上げられた商品３の荷重を、長尺固定ガイド板８を形成する縦方向曲げ強度の大きな複数の縦桟８Ａ又は短尺固定ガイド板９を形成する縦方向曲げ強度の大きな複数の縦桟９Ａで受止めることができるので、可動ガイド板１０の変形破損が確実に防止される。
【００５２】
長尺固定ガイド板８及び短尺固定ガイド板９に設けたストッパ片１７ｆは、長尺固定ガイド板８や短尺固定ガイド板９における縦桟８Ａ，９Ａどうしの間に入り込み移動する可動ガイド板１０の下側横桟１０Ｂが各固定ガイド板８，９の下側横桟８Ｂ，９Ｂに当接する前に、可動ガイド板１０の縦桟１０Ａの上部に対し背面側から弾性的に当接し、この当接により、長尺固定ガイド板８や短尺固定ガイド板９における縦桟８Ａ，９Ａどうしの間への可動ガイド板１０の縦桟１０Ａの最大入り込み位置が規制される。
【００５３】
そのため、同図４〜図８に示すように、商品収納通路Ｓ内を落下してくる商品３が可動ガイド板１０と衝突したとき、可動ガイド板１０の縦桟１０Ａの下半側部分が、ネジリバネ１６の突出付勢力に抗して退避揺動しながら長尺固定ガイド板８や短尺固定ガイド板９における縦桟８Ａ，９Ａどうしの間に揺動方向から急速に入り込むことにおいて、可動ガイド板１０の下端部が長尺固定ガイド板８や短尺固定ガイド板９の下端部に当接するのを上記ストッパ片１７ｆにより防止することができ、これにより、大きな打撃音が発生することがない。しかも、ストッパ片１７ｆは、可動ガイド板１０の縦桟１０Ａの上部側との当接に連れて弾性変形するため、可動ガイド板１０の揺動が止められた時に発生する衝撃振動を効果的に減衰して音の発生を抑制することができる。
【００５４】
長尺固定ガイド板８又は短尺固定ガイド板９における縦桟８Ａ，９Ａどうしの間への可動ガイド板１０の縦桟１０Ａの入り込みを可能にするのに、可動ガイド板１０における縦桟１０Ａの隣接間隔ｄ１（スリット状空隙１０ａの幅）は長尺固定ガイド板８及び短尺固定ガイド板９の夫々における縦桟８Ａ，９Ａの横幅寸法ｗ２よりも若干大きくする必要があるが、長尺固定ガイド板８及び短尺固定ガイド板９夫々の縦桟８Ａ，９Ａの横幅寸法ｗ２は可動ガイド板１０の縦桟１０Ａの横幅寸法ｗ１よりも小さくしてあり、これにより、可動ガイド板１０における縦桟１０Ａの隣接間隔ｄ１を極力小さくして、可動ガイド板１０における９本の縦桟１０Ａの占有面積を極力大きくするようにしてある。
【００５５】
すなわち、このように可動ガイド板１０の縦桟１０Ａの隣接間隔ｄ１を極力小さくすることにより、商品収納通路Ｓ内を降下する商品３の角部（端面と周面の間の角部）が商品収納通路Ｓの内方側への突出姿勢にある可動ガイド板１０の縦桟１０Ａどうしの間に入り込んで引っ掛かった状態になるのを防止し、その引っ掛かりの為に商品３が商品収納通路Ｓ内において斜め縦姿勢の不具合な積み上げ収納状態になるのを効果的に防止することができる。
【００５６】
なお、可動ガイド板１０の縦桟１０Ａの隣接間隔ｄ１を小さくする上で可動ガイド板１０の縦桟１０Ａの横幅寸法ｗ１を大きくすることに対し、図１８に示す如く可動ガイド板１０の縦桟１０Ａに円形や角形などの多数の貫通孔１０ｅあるいは縦桟１０Ａの長手方向に延びるスリット状を貫通孔を形成して、可動ガイド板１０の各縦桟１０Ａにおける音発生部分の面積を小さくし、これにより、商品３との衝突に対する可動ガイド板１０の衝撃音放射率を低く維持して静音性を高く保つようにしてよい。
【００５７】
次に、長尺固定ガイド板８及び短尺固定ガイド板９の夫々に一体形成した合成樹脂製の横架用取付け部８Ｃ，９Ｃの差込み連結手段Ｃについて説明する。
図１２，図１９に示す如く、長尺固定ガイド板８及び短尺固定ガイド板９夫々の横架用取付け部８Ｃ，９Ｃの両端部には、左右の側板６に形成された横向きＵ字状又はＶ字状の取付け孔１１に対して横架用取付け部８Ｃ，９Ｃの端部を左右方向（通路幅方向）から差し込んだとき、取付け孔１１のＵ字形状又はＶ字形状における底頂部側の２箇所の孔周縁部位ａで側板６の内面（商品収納通路Ｓに臨む面）に当接して差込量を規定する上下一対の凸状部１８ａ、及び、それら凸状部１８ａが上記２箇所の孔周縁部位ａで側板６内面に当接した差込状態においてそれら上記２箇所の孔周縁部位ａの間の孔周縁部位ｂで先端が側板６の外面側に位置するように側板６に係合して、凸状部１８ａとの協働により横架用取付け部８Ｃ，９Ｃの左右方向への移動を阻止する平面視「Ｌ」字状の横架用係合片１８ｂが一体形成されている。
【００５８】
そして、取付け孔１１に対して横架用取付け部８Ｃ，９Ｃの端部を差し込んだとき、横向きＵ字状又は横向きＶ字状の取付け孔１１で囲まれた弾性変形可能な側板部分により形成される抜止め用舌片６Ａの先端縁６ａが横架用係合片１８ｂの背面側に当接又は近接して、横架用係合片１８ｂと側板６の孔周縁部位ｂとの係合状態が維持される構造にしてある。
【００５９】
また、固定ガイド板８，９の各縦桟８Ａ，９Ａのうち、左右両外側に位置する縦桟８Ａ，９Ａの外側面の上部には、取付け孔１１に対して横架用取付け部８Ｃ，９Ｃの端部を差し込んだとき取付け孔１１の近傍で側板６の内面に当接して、上記凸状部１８ａとともに取付け孔１１に対する横架用取付け部８Ｃ，９Ｃの端部の差込量を規定する突起１９ａが一体形成され、さらに、左右両外側に位置する縦桟８Ａ，９Ａの外側面の下部には、左右の側板６に形成された第２取付け孔２０に対して差し込む係合突起２１ａ、及び、その係合突起２１ａを第２取付け孔２０に差し込んだ状態において第２取付け孔２０の２箇所の孔周縁部位ｃで側板６の内面に当接する差込規制突起２１ｂが一体形成されている。
【００６０】
そしてまた、固定ガイド板８，９の下側横桟８Ｂ，９Ｂの裏面側には、下方に隣接する他のガイド板ユニットの横架用取付け部８Ｃ，９Ｃの上部前面部に当て付けられる側面視「Ｌ」字状の凹部２２が形成されるとともに、横架用取付け部８Ｃ，９Ｃの両端部が取付け孔１１に差込み連結され、かつ、固定ガイド板８，９の下側横桟８Ｂ，９Ｂに形成された「Ｌ」字凹部２２が下方に隣接する他のガイド板ユニットの横架用取付け部８Ｃ，９Ｃの上部前面部に当て付けられた状態において、第２取付け孔２０で囲まれた弾性変形可能な側板部分により形成される第２抜止め用舌片６Ｂの先端縁６ｂと係合突起２１ａの係合面とが係合するように構成されている。
【００６１】
そのため、固定ガイド板８，９の係合突起２１ａを側板６の第２取付け孔２０に差込み係合させる場合には、縦桟８Ａ，９Ａの上下中央部を撓み変形させ、その状態で係合突起２１ａを第２取付け孔２０に差込み係合させることになり、その結果、縦桟８Ａ，９Ａの弾性復元力で、固定ガイド板８，９の下側横桟８Ｂ，９Ｂに形成された「Ｌ」字状凹部２２が下方に隣接する他のガイド板ユニットにおける横架用取付け部８Ｃ，９Ｃの上部前面部に当て付け付勢されるため、取付けガタに起因するガタ付き音などの騒音発生を抑制することができる。
【００６２】
また、固定ガイド板８，９を両側板６間に架設するための横架用取付け部８Ｃ，９Ｃを合成樹脂製の固定ガイド板８，９に一体形成したことにより、それら横架用取付け部を固定ガイド板とは別の板金製部材により形成するのに比べ、部品点数を少なくして製作・組立てを容易にすることができ、また、部品点数の少数化により部材間のガタツキを少なくし得ることと合成樹脂製の横架用取付け部８Ｃ，９Ｃによる振動吸収機能が得られるととで静音化を促進することもできる。
【００６３】
各商品収納通路Ｓの下端部では、商品払出機構Ｂとそれに対向させた案内壁部材６０を前後の通路壁とする形態で商品収納通路Ｓを形成してあり、商品払出機構Ｂ及び案内壁部材６０の夫々は固定ガイド板８，９と同様に左右の側板６にわたらせた状態で両側板６に連結して支持してある。
【００６４】
商品払出機構Ｂは、最下端の商品３を受止め支持する下部支持手段Ｂ１と、その下部支持手段Ｂ１が商品支持を解除して商品３を払い出す際、最下端から二番目の商品３を受け止め支持する上部支持手段Ｂ２とを払出フレーム６１に組み付けてユニット化してあり、商品収納通路Ｓが隣接する場合には、それら商品収納通路Ｓの各々に対する商品払出機構Ｂのユニットを背中合わせ状態に組み付ける構造にしてある。
【００６５】
そして、商品払出機構Ｂとともに商品収納通路Ｓを形成する案内壁部材６０には、商品３を商品払出機構Ｂの側へ寄せ案内する三角状のガイド突起６０ａが商品収納通路Ｓの側に膨出形成されている。
【００６６】
なお、商品払出機構Ｂについても固定ガイド板８，９と同様、通路幅Ｗの広い商品収納通路Ｓに対応した大きな幅寸法のものと通路幅Ｗの狭い商品収納通路Ｓに対応した小さな幅寸法のものとの二種がある。また、案内壁部材６０にも、通路幅Ｗの広い商品収納通路Ｓに対応した幅寸法の大きな図２１〜図２３に示す如き長尺案内壁部材６０Ａと、通路幅Ｗの狭い商品収納通路Ｓに対応した幅寸法の小さな図２４〜図２６に示す如き短尺案内壁部材６０Ｂとがあり、これらは共に合成樹脂製（ＰＯＭ）の一体成形品にしてある。
【００６７】
長尺案内壁部材６０Ａ及び短尺案内壁部材６０Ｂは夫々、商品収納通路Ｓの側のガイド面９０Ａを形成する板状の前壁部９０と、その前壁部９０とは直交する姿勢で前壁部９０の周縁４辺部の各々から背面側（商品収納通路Ｓとは反対側）に延びる上外壁部９１Ａと両横外壁部９１Ｂと下外壁部９１Ｃとからなる前面視矩形状の偏平ボックス状成形品であり、その内部には、前壁部９０から背面側へ延びる多数のリブ９２ａ〜９２ｃを一体形成してある。
【００６８】
これらリブ９２ａ〜９２ｃとしては、前壁部９０からの延出長を各外壁部９１Ａ〜９１Ｃと同じにした主リブ９２ａ，９２ｂと、それら主リブ９２ａ，９２ｂよりも延出長が短い補助リブ９２ｃとの二種を形成してあり、主リブ９２ａ，９２ｂについては、横外壁部９１Ｂと平行な縦主リブ９２ａを左右方向（商品収納通路Ｓの幅方向）で間隔を空けて複数形成するとともに、上外壁部９１Ａ及び下外壁部９１Ｃと平行な横主リブ９２ｂを上下方向で間隔を空けて複数形成して、前面視（すなわち、壁面視）で主リブ９２ａ，９２ｂを縦横の格子状に配置してある。
【００６９】
また、補助リブ９２ｃは、横外壁部９１ｂと平行な縦リブのみを左右方向で間隔を空けて複数形成して、前面視で補助リブ９２ｃを縦格子状に配置し、これら縦の補助リブ９２ｃは縦主リブ９２ａどうしの間や縦主リブ９２ａと横外壁部９１Ｂとの間に２本ないし１本を配置してある。そしてまた、前壁部９０には、リブ９２ａ〜９２ｃが不存の箇所に位置させて多数の貫通孔９３ａ，９３ｂを形成してある。
【００７０】
つまり、案内壁部材６０Ａ，６０Ｂを合成樹脂製の成形品とすることで、合成樹脂が備える音吸収（減衰）性により商品３と案内壁部材６０Ａ，６０Ｂとの衝突による衝撃音を低減するとともに、耳障りな高周波音成分の発生を抑止するのに加えて、格子状配置の上記リブ９２ａ〜９２ｃにより、商品３が案内壁部材６０Ａ，６０Ｂの前壁部９０に衝突したときの前壁部９０の全体的な大きな振動を抑止することと、壁面視で分散させて前壁部９０に形成した多数の貫通孔９３ａ，９３ｂにより、前壁部９０における音発生部分の面積を小さくして衝撃音の放射率を小さくすることとで、商品３と案内壁部材６０Ａ，６０Ｂとの衝突による衝撃音を一層効果的に低減するようにしてある。
【００７１】
前面を商品収納通路Ｓのガイド面９０Ａとする前壁部９０には、側面視において、鉛直姿勢で上端に位置する第１案内部分９０ａと、その第１案内部分９０ａから下方に連なって下側ほど商品収納通路Ｓの内方側に寄る緩傾斜姿勢の第２案内部分９０ｂと、その第２案内部分９０ｂから下方に連なる鉛直姿勢の第３案内部分９０ｃと、その第３案内部分９０ｃから下方に連なってガイド突起６０ａを形成する側面視「く」の字状の第４案内部分９０ｄと、その第４案内部分９０ｄから下方に連なって第３案内部分９０ｃと略同じ高さ（商品収納通路Ｓの側への貼り出し寸法）で鉛直姿勢の第５案内部分９０ｅと、その第５案内部分９０ｅから段部９０ｆを介し連なって第１案内部分９０ａよりも低い高さで鉛直姿勢の第６案内部分９０ｇとを形成してある。
【００７２】
すなわち、商品３を商品払出機構Ｂの側に寄せ案内するガイド突起６０ａとしての第４案内部分９０ｄの上部に上記第２及び第３案内部分９０ｂ，９０ｃを設けることで、商品払出機能Ｂの側への商品３の寄せ案内を一層確実にし、また、ガイド突起６０ａとしての第４案内部分９０ｄの下方に連ねて上記第５案内部分９０ｅを設けることで、商品払出機構Ｂによる商品３の受止め支持を一層確実にし、さらに、最下端の第６案内部分９０ｇの高さを低くすることで、商品払出機構Ｂによる商品３の落下放出を円滑にするようにしてある。
【００７３】
なお、長尺案内壁部材６０Ａと短尺案内壁部材６０Ｂとでは夫々、ガイド突起６０ａとしての第４案内部分９０ｄの高さや形状、及び、補助的ガイド突起として機能する第５案内部分９０ｅの高さや形状を対象商品３の径に応じて異ならせてある。
【００７４】
ガイド突起６０ａとしての第４案内部分９０ｄには、商品３との衝突に対する強度を高く確保するとともに商品３の引っ掛かりを防止するため上記貫通孔９３ａ，９３ｂを形成しておらず、また、その第４案内部分９０ｄと、その下方につらなる第５及び第６案内部分９０ｅ，９０ｇ（すなわち、落下放出される商品３が衝突する部分）とについては、第１〜第３案内部分９０ａ〜９０ｃに比べ横主リブ９２ｂの配設本数を多くして商品３との衝突に対する強度を大きくしてある。
【００７５】
そしてまた、前壁部９０のうちガイド突起６０ａとしての第４案内部分９０ｄの上方近傍部分及び下方近傍部分を除く他部については円形の貫通孔９３ａを形成するのに対し、ガイド突起６０ａとしての第４案内部分９０ｄの上方近傍部分及び下方近傍部分に形成する貫通孔９３ｂは、リブ９２ａ〜９２ｃ間の全体を開口させた矩形の大きな開口にして、他部に比べ衝突音の放射率（すなわち、ガイド突起６０ａと商品３との衝突で生じる衝突音の放射率）を一層低くするようにしてある。
【００７６】
両横外壁部９１Ｂには、側板６に対する連結手段９４，９５を上下方向に複数形成してあり、これら連結手段９４，９５のうち、９４は固定ガイド８，９における横架用取付け部８Ｃ，９Ｃの両端部と同様の係合連結部であり、９５は固定ガイド８，９における差込規定突起１９ａと同様の差込量規定用の突起である（図２７参照）。
【００７７】
〔別の実施形態〕
前述の実施形態では、商品払出機構Ｂに対向して商品払出機構Ｂとともに商品収納通路Ｓの下端部を形成する案内壁部材６０を、合成樹脂の一例であるＰＯＭ（ポリアセタール）で形成する例を示したが、本発明の第２又は第４特徴構成の実施において、案内壁部材６０の形成材にはＰＯＭに限らず、種々の合成樹脂を採用できる。
【００７８】
前述の実施形態では、案内壁部材６０の前壁部９０から商品収納通路Ｓとは反対側に延出させる壁面視格子状配置のリブとして、縦横格子状配置の主リブ９２ａ，９２ｂと縦格子状配置の補助リブ９２ｃとを設ける例を示したが、本発明の第１又は第５特徴構成の実施において、案内壁部材６０の前壁部９０から延出させる壁面視格子状配置のリブは、縦横格子状の配置のリブ、横格子状の配置のリブ、縦格子状の配置のリブ、あるいは、斜め格子状の配置のリブなど、どのような格子状配置形態のものであってもよく、また、全てのリブが主リブと補助リブとの区別のない同構造のリブであってもよい。
【００７９】
本発明の第１特徴構成の実施において、案内壁部材６０の形成材は必ずしも合成樹脂に限られるものではなく、前壁部９０と格子状配置のリブ９２ａ〜９２ｃとを備える金属製の成形品にしてもよい。
【００８０】
また、本発明の第４特徴構成の実施において、合成樹脂製とする案内壁部材６０は前壁部９０と壁面視で格子状配置の複数のリブ９２ａ〜９２ｃとを備える構造に限られるものではなく、複数の貫通孔９３ａ，９３ｂを壁面視で分散させて形成した合成樹脂製の単純な板状形状のものであってもい。
【図面の簡単な説明】
【００８１】
【図１】自動販売機全体の側面視断面図
【図２】姿勢矯正板部分の側面視断面図
【図３】姿勢矯正板部分の側面視断面図
【図４】商品収納通路の側面視拡大断面図
【図５】商品収納通路の側面視拡大断面図
【図６】商品収納通路の側面視拡大断面図
【図７】商品収納通路の側面視拡大断面図
【図８】商品収納通路の側面視拡大断面図
【図９】ガイド板を示す正面図
【図１０】ガイド板を示す正面図
【図１１】ガイド板を示す正面図
【図１２】固定ガイド板の構造図
【図１３】可動ガイド板の組付構造を示す平面視断面図
【図１４】可動ガイド板の組付構造を示す平面視断面図
【図１５】可動ガイド板の組付構造を示す平面視断面図
【図１６】可動ガイド板の組付構造を示す平面視断面図
【図１７】可動ガイド板の構造部
【図１８】可動ガイド板の改良構造を示す構造図
【図１９】側板のガイド板取付部分を示す側面図
【図２０】商品収納通路の下端部を示す側面図
【図２１】案内壁部材の正面図
【図２２】案内壁部材の背面図
【図２３】案内壁部材の斜視図
【図２４】案内壁部材の正面図
【図２５】案内壁部材の背面図
【図２６】案内壁部材の側面図
【図２７】側板の案内壁部材取付部分を示す側面図
【図２８】従来例を示す商品収納通路下端部の側面図
【符号の説明】
【００８２】
３                商品
６０              案内壁部材
６０ａ            ガイド突起
９０              前壁部
９０Ａ            ガイド面
９２ａ〜９２ｃ    リブ
９３ａ，９３ｂ    貫通孔
Ｂ                商品払出機構
Ｓ                商品収納通路
【図１】
2005284365.tif 000003
【図２】
2005284365.tif 000004
【図３】
2005284365.tif 000005
【図４】
2005284365.tif 000006
【図５】
2005284365.tif 000007
【図６】
2005284365.tif 000008
【図７】
2005284365.tif 000009
【図８】
2005284365.tif 000010
【図９】
2005284365.tif 000011
【図１０】
2005284365.tif 000012
【図１１】
2005284365.tif 000013
【図１２】
2005284365.tif 000014
【図１３】
2005284365.tif 000015
【図１４】
2005284365.tif 000016
【図１５】
2005284365.tif 000017
【図１６】
2005284365.tif 000018
【図１７】
2005284365.tif 000019
【図１８】
2005284365.tif 000020
【図１９】
2005284365.tif 000021
【図２０】
2005284365.tif 000022
【図２１】
2005284365.tif 000023
【図２２】
2005284365.tif 000024
【図２３】
2005284365.tif 000025
【図２４】
2005284365.tif 000026
【図２５】
2005284365.tif 000027
【図２６】
2005284365.tif 000028
【図２７】
2005284365.tif 000029
【図２８】
2005284365.tif 000030